(57)【要約】【課題】本発明は、凹凸パリソン成形を応用し、びんの外表面に細い凹みの輪郭線を設けることで、通常の仕上げ型への彫刻による方法では表現することができない、繊細かつ明瞭で簡素な図柄から複雑な図柄に至るまでの輪郭模様を表現する。【解決手段】本発明に係る輪郭模様入りガラスびんの製造方法は、キャビティの内表面のうち、仕上がりびんの輪郭模様の輪郭線で包囲された領域に対応する箇所が凹部となるように窪み加工され、かつ、凹部の底面隅部が断面角状に加工された粗型内に溶融ガラス塊を投入して、外表面に凹部に対応した凸部を有するパリソンを成形する工程と、パリソンを平滑な仕上げ型に移送する工程と、仕上げ型内でパリソンをブロー成形して、仕上がりびんの外表面のうちパリソンの凸部の縁に対応する箇所にしわ状の溝を形成し、溝で囲まれた部分が輪郭模様として表現されている仕上がりびんを成形する工程、とを有する。【選択図】図７
2010260765.tif 000002
【特許請求の範囲】
【請求項１】
ガラスびんの側面に輪郭模様が表現された輪郭模様入りガラスびんの製造方法において、
キャビティの内表面のうち、仕上がりびんの前記輪郭模様の輪郭線で包囲された領域に対応する箇所が凹部となるように窪み加工され、かつ、前記凹部の底面隅部が断面角状に加工された粗型内に溶融ガラス塊を投入して、外表面に前記凹部に対応した凸部を有するパリソンを成形する工程と、
前記パリソンを、キャビティの内表面が平滑な仕上げ型に移送する工程と、
前記仕上げ型内で前記パリソンをブロー成形して、仕上がりびんの外表面のうち前記パリソンの凸部の縁に対応する箇所にしわ状の溝を形成し、前記溝で囲まれた部分が前記輪郭模様として表現されている仕上がりびんを成形する工程、とを有することを特徴とする輪郭模様入りガラスびんの製造方法。
【請求項２】
前記粗型の凹部の底面隅部のうち所定部分が断面角なしにＲ加工された粗型を使用して、Ｒ加工された底面隅部を転写して形成されたパリソンの凸部の縁を角なしとし、しわ状の溝の深さを、凹部の底面隅部が断面角状の箇所に対応するしわ状の溝の深さよりも浅くして、輪郭模様の所定部分の輪郭をぼかしたことを特徴とする請求項１に記載の輪郭模様入りガラスびんの製造方法。
【請求項３】
前記粗型の凹部は、粗型のキャビティの内表面のうち、前記パリソンの側面を形成する面の全周にわたって窪み加工されており、かつ、前記粗型の合わせ目を挟んで両側に設けられている凹部の深さを、粗型の中央部分に設けられている凹部の深さよりも浅くしていることを特徴とする請求項１又は２に記載の輪郭模様入りガラスびんの製造方法。
【請求項４】
前記仕上がりびんの表面を着色コーティング剤で被覆する工程をさらに有することを特徴とする請求項１、２又は３に記載の輪郭模様入りガラスびんの製造方法。
【請求項５】
前記ガラスとして着色ガラスを使用することを特徴とする請求項１、２、３又は４に記載の輪郭模様入りガラスびんの製造方法。
【請求項６】
前記粗型として、前記粗型の凹部の底面に小溝を複数設けた粗型を使用することを特徴とする請求項１、２、３、４又は５に記載の輪郭模様入りガラスびんの製造方法。
【請求項７】
請求項１〜６のいずれかに記載の輪郭模様入りガラスびんの製造方法によって製造されたことを特徴とする輪郭模様入りガラスびん。
【請求項８】
裏面に図柄が印刷されたラベルを貼付したことを特徴とする請求項７に記載の輪郭模様入りガラスびん。
【請求項９】
着色剤を含有する糊を使用してラベルを貼付したことを特徴とする請求項７又は８に記載の輪郭模様入りガラスびん。
【発明の詳細な説明】
【技術分野】
【０００１】
本発明は、ガラス容器の表面に輪郭模様を表現する方法に関する。また、中身が入った状態においても輪郭模様の視認性が得られるガラス容器に関する。    
【背景技術】
【０００２】
ガラスびんの外観のデザイン向上を意図して、その表面に図柄の輪郭模様を設けたびんがある。ガラスびんに輪郭模様を表現する場合、ガラス成形の仕上げ型の表面に凸輪郭線を形成し、当該凸輪郭線によって、ガラスびんの表面に溝状の輪郭線を形成することが行なわれている。
【０００３】
ところで、粗型の表面に凹凸を形成してパリソンを成形し、続いて、平滑な内表面を有する仕上げ型を使用して、びんを仕上げることで、びんの内表面に凹凸を形成し、結果として、ガラスびんに凹凸模様を表現する技術が開示されている（例えば、特許文献１〜４を参照。）。なお、このようなびん成形方法を凹凸パリソン成形又はインナーモール成形という。凹凸パリソン成形とすれば、成形によるビリ発生が生じにくいという利点がある。
【先行技術文献】
【特許文献】
【０００４】
【特許文献１】特開平８‐１７５８２４号公報
【特許文献２】特開昭６０‐１１２６３１号公報
【特許文献３】特開昭６０‐１４５９１８号公報
【特許文献４】特開昭５５‐５６０２１号公報
【発明の概要】
【発明が解決しようとする課題】
【０００５】
仕上げ型の表面に凸輪郭線を形成する場合、輪郭線幅が広くなり、複雑な図柄の輪郭線を表現しにくいという問題があり、また、仕上げ型の寿命が短いという経済的な問題もある。また、仕上げ型に彫刻をふすと、成形によるビリ発生が生じやすい。
【０００６】
なお、特許文献１〜４に記載した技術をはじめ、凹凸パリソン成形では、仕上がりびんの内面側に盛り上がりを設ける成形法であるため、通常、仕上がりびんの外表面に輪郭線を設ける技術ではない。
【０００７】
本発明は、金型の維持費用が安く、ラベルが貼れて、成形によるビリの発生が少ないという凹凸パリソン成形のメリットを活かしつつ、びんの外表面に細い凹みの輪郭線（以下、「輪郭溝」ともいう）を設けることで、通常の仕上げ型への彫刻による方法では表現することができない、繊細かつ明瞭で、簡素な図柄から複雑な図柄に至るまでの輪郭模様を表現することが可能で、かつ、安価に製造することが可能な、輪郭模様入りガラスびんの製造方法を提供することを目的とする。
【課題を解決するための手段】
【０００８】
本発明者らは、上記の課題を解決するために、鋭意検討した結果、凹凸パリソン成形法において、意図的にガラスの肉厚差を大きくすると、図柄の周辺部にしわが発生することに着目し、このしわを図柄の輪郭溝に応用することが可能であることを見出し、本発明を完成させた。すなわち、本発明に係る輪郭模様入りガラスびんの製造方法は、ガラスびんの側面に輪郭模様が表現された輪郭模様入りガラスびんの製造方法において、キャビティの内表面のうち、仕上がりびんの前記輪郭模様の輪郭線で包囲された領域に対応する箇所が凹部となるように窪み加工され、かつ、前記凹部の底面隅部が断面角状に加工された粗型内に溶融ガラス塊を投入して、外表面に前記凹部に対応した凸部を有するパリソンを成形する工程と、前記パリソンを、キャビティの内表面が平滑な仕上げ型に移送する工程と、前記仕上げ型内で前記パリソンをブロー成形して、仕上がりびんの外表面のうち前記パリソンの凸部の縁に対応する箇所にしわ状の溝を形成し、前記溝で囲まれた部分が前記輪郭模様として表現されている仕上がりびんを成形する工程、とを有することを特徴とする。
【０００９】
本発明に係る輪郭模様入りガラスびんの製造方法では、前記粗型の凹部の底面隅部のうち所定部分が断面角なしにＲ加工された粗型を使用して、Ｒ加工された底面隅部を転写して形成されたパリソンの凸部の縁を角なしとし、しわ状の溝の深さを、凹部の底面隅部が断面角状の箇所に対応するしわ状の溝の深さよりも浅くして、輪郭模様の所定部分の輪郭をぼかした形態が包含される。明瞭な輪郭線の一部をぼかした輪郭線とすることが可能であり、輪郭模様の表現を広げることができる。
【００１０】
本発明に係る輪郭模様入りガラスびんの製造方法では、前記粗型の凹部は、粗型のキャビティの内表面のうち、前記パリソンの側面を形成する面の全周にわたって窪み加工されており、かつ、前記粗型の合わせ目を挟んで両側に設けられている凹部の深さを、粗型の中央部分に設けられている凹部の深さよりも浅くしていることが好ましい。粗型からパリソンを抜くときに、粗型の合わせ目付近に形成されたパリソンの凸部と粗型とが接触して、型抜きし難いところ、溝の深さを浅くすることでこの接触を防止することができる。こうすることによって、型の無理抜きをすることなしに、びんの側面全周にわたって輪郭模様を付与することができる。
【００１１】
本発明に係る輪郭模様入りガラスびんの製造方法では、前記仕上がりびんの表面を着色コーティング剤で被覆する工程をさらに有していてもよい。この工程を設けることで、輪郭線である輪郭溝に着色コーティング剤が入り込むので、当該箇所において着色が濃く表現されるため、より鮮明に輪郭が強調されることとなる。
【００１２】
本発明に係る輪郭模様入りガラスびんの製造方法では、前記ガラスとして着色ガラスを使用する形態が包含される。びんの肉厚差によって色の濃淡が変化し、この現象を利用して凹凸模様の図柄を表現しやすい。
【００１３】
本発明に係る輪郭模様入りガラスびんの製造方法では、前記粗型として、前記粗型の凹部の底面に小溝を複数設けた粗型を使用する形態が包含される。小溝を多数設けることで、しわ状の模様を所望の場所に表現することができる。
【００１４】
本発明に係る輪郭模様入りガラスびんは、本発明に係る輪郭模様入りガラスびんの製造方法によって製造されたことを特徴とする。
【００１５】
本発明に係る輪郭模様入りガラスびんでは、裏面に図柄が印刷されたラベルを貼付したことが好ましい。中身が充填されると輪郭模様の視認性が低下する。しかし、裏面に図柄が印刷されたラベルを貼付することによって、ラベルを付した反対側からびんを見ると、ラベル裏に印刷された図柄が輪郭模様による変形を受けて見え方が変化するため、視認性が向上する。
【００１６】
本発明に係る輪郭模様入りガラスびんでは、着色剤を含有する糊を使用してラベルを貼付したことが好ましい。中身が充填されると輪郭模様の視認性が低下する。しかし、着色剤を含有する糊を使用してラベルを貼付することによって、ラベルを付した反対側からびんを見ると、着色した糊跡が輪郭模様による変形を受けて見え方が変化するため、視認性が向上する。
【発明の効果】
【００１７】
本発明に係る輪郭模様入りガラスびんの製造方法によれば、金型の維持費用が安く、ラベルが貼れて、成形によるビリの発生が少ないという凹凸パリソン成形のメリットを活かしつつ、びんの外表面に細い凹みの輪郭線を設けることで、通常の仕上げ型への彫刻による方法では表現することができない、繊細かつ明瞭で、簡素な図柄から複雑な図柄に至るまでの輪郭模様を表現することが可能で、かつ、輪郭模様入りガラスびんを安価に製造することが可能となる。
【図面の簡単な説明】
【００１８】
【図１】本実施形態の製法で得られたガラスびんの一形態を示す画像であり、（ａ）は正面画像、（ｂ）模様部分の拡大画像、である。
【図２】図１の仕上がりガラスびんの概略図であり、図柄（輪郭模様として聖獣が表現されている）を黒で塗りつぶしているが、その輪郭部分に輪郭線が形成されている。
【図３】粗型のキャビティの内表面において、図柄領域を窪み加工（彫刻）して凹部にした箇所のうち凹部隅部の部分拡大断面図であり、（ａ）は凹部の底面隅部が断面角状に加工された場合、（ｂ）は凹部の底面隅部の一部が断面角なしにＲ加工された場合である。
【図４】粗型の凹部を転写したパリソンの凸部を含む部分拡大断面図であり、（ａ）は図３（ａ）の凹部で形成された凸部、（ｂ）は図３（ｂ）の凹部で形成された凸部である。
【図５】キャビティをとおるように容器主軸方向を横断した面で切ったときの粗型の破断面の一形態を示す図である。
【図６】輪郭模様の内側領域に細かいしわ状の模様を表現するときに用いる、（ａ）粗型の部分拡大断面図及び（ｂ）それから得られるパリソンの部分拡大断面図である。
【図７】パリソンから仕上がりびんに至るまでの変形の様子を説明するための概略図であり、（ａ）はパリソン、（ｂ）は仕上がりびん、（ｃ）は、凸部の変化を示した。
【図８】しわ状凸起を設けてしわ状の模様を表現したときのしわ部分の拡大画像を示した。
【発明を実施するための形態】
【００１９】
以下本発明について実施形態を示して詳細に説明するが本発明はこれらの記載に限定して解釈されない。本発明の効果を奏する限り、実施形態は種々の変形をしてもよい。
【００２０】
ガラスびんの一般的な製造方法の概略は、次のとおりである。ガラス溶解炉から１１００〜１２００℃の所定量の溶融ガラス塊（ゴブという）を切り出し、キャビティを有する粗型内に投入する。ゴブは粗型内でパリソンという中間形状に成形される。ここでパリソンの成形法には大きく分類すると二通りある。一つめはプレスブロー成形と呼ばれる下方からプランジャーと呼ばれる棒状の金型で突き上げてパリソンを成形する方法である。プランジャーと接する部分がパリソンの内表面となり、粗型のキャビティの内表面と接する部分がパリソンの外表面となる。二つめはブローブロー成形と呼ばれるパリソンを高圧空気で膨らませる成形方法である。空気で押される部分がパリソンの内表面となり、粗型のキャビティの内表面と接する部分がパリソンの外表面となる。本実施形態に係る輪郭模様入りガラスびんの製造方法では、プレスブロー成形とブローブロー成形のいずれも適用が可能である。次に、パリソンを仕上げ型内に移送し、パリソンの内部をブローして、空気で押される部分が仕上がりびんの内表面となり、仕上げ型のキャビティの内表面と接する部分が仕上がりびんの外表面となる。
【００２１】
次に本実施形態の製法で得られるガラスびんの基本的特徴について説明する。本実施形態の製法で得られるガラスびんは、びんの側面に輪郭模様が表現された輪郭模様入りガラスびんであり、仕上がりびんの外表面に細い凹みの輪郭線（輪郭溝）を設けることで、当該輪郭溝で囲まれた領域を輪郭模様（図柄）として表現している。輪郭溝は、仕上げ型に凸条を設けて形成した溝ではなく、凹凸パリソン成形において意図的にしわを形成したことで輪郭溝としていることから、仕上げ型への彫刻による溝よりも溝幅が狭い。このため、輪郭溝は明瞭な線として認識される。図１は、本実施形態の製法で得られたガラスびんの一形態を示す画像であり、（ａ）は正面画像、（ｂ）模様部分の拡大画像、である。図２は、図１の仕上がりガラスびん３０の概略図であり、図柄（輪郭模様３１として聖獣が表現されている）を黒で塗りつぶしているが、図柄の輪郭部分に輪郭線が形成されている。
【００２２】
次に本実施形態に係る輪郭模様入りガラスびんの製造方法について、パリソンの成形、パリソンの移送工程及び最終品である仕上がりびんの成形を順に説明する。
【００２３】
（パリソン成形工程）
図３は、粗型のキャビティの内表面において、図柄領域を窪み加工（彫刻）して凹部にした箇所のうち凹部隅部の部分拡大断面図であり、（ａ）は凹部の底面隅部が断面角状に加工された場合、（ｂ）は凹部の底面隅部の一部が断面角なしにＲ加工された場合である。図４は、粗型の凹部を転写したパリソンの凸部を含む部分拡大断面図であり、（ａ）は図３（ａ）の凹部で形成された凸部、（ｂ）は図３（ｂ）の凹部で形成された凸部である。パリソン成形工程で使用する粗型１は、キャビティ１０の内表面３のうち、輪郭模様の輪郭線で包囲された領域に対応する箇所が凹部２となるように窪み加工されている。パリソンの伸び代は、横方向よりも縦方向が少ない。凹部２の深さは例えば０．３〜２．０ｍｍ、好ましくは０．５〜１．０ｍｍである。粗型１内に溶融ガラス塊（不図示）を投入して、パリソン４を形成する。このとき、パリソン４の外表面５に凹部２に対応した凸部６を有するパリソン４を成形する。凸部６は、ほぼ凹部２の転写した形状となる。なお、溶解ガラス塊が成形される際に、冷却されガラスの粘度が上昇するため、凹部２の隅々までは転写した形状とならない場合がある。また、型にくっついて離型するときに引っ張られることがあり、粗型加工寸法（凹部深さ）よりも凸部が高くなる場合もある。このようにガラス温度によって粘度などが変化することによって厳密に転写した形状とならない場合もありうるが、凸部６の高さは例えば０．３〜２．０ｍｍ、好ましくは０．５〜１．０ｍｍである。そして、図３（ａ）の底面隅部が断面角状に加工された粗型の凹部２によって、図４（ａ）に示したように、角張った凸部（図４では凸部の断面形状を示している。）がパリソン４の外表面５上に形成される。なお、凸部６の角６ａは、パリソンの他の箇所と比べて冷えやすいため、仕上げ型でブローされるときには、当該角のガラス粘度は角から離れた箇所と比べて高くなっている。
【００２４】
本実施形態に係る輪郭模様入りガラスびんの製造方法では、粗型の凹部の底面隅部がいずれの箇所においても断面角状に加工されている（断面角状の底面隅部を符号２ａで示した）ことによって、仕上がりびんの輪郭溝を、いずれの箇所においても幅の細いしわ状とすることができる。この場合は、輪郭模様の輪郭がいずれの箇所においても繊細であり、かつ、明瞭に認識できる。しかし、輪郭模様の表現を広げるために、輪郭模様の輪郭の一部をぼかして不明瞭としたデザインが求められる場合もある。このような場合には、図３（ｂ）に示すように、粗型１の凹部の底面隅部のうち所定部分（２ｂ）が断面角なしにＲ加工された粗型を使用する。なお、図３（ｂ）において、所定部分であるＲ加工された断面角なしの底面隅部２ｂ以外は断面角状に加工されている（断面角状の底面隅部を符号２ａで示した）。Ｒ加工された底面隅部２ｂを転写して形成されたパリソン４の凸部６の縁を角なし（６ｂ）とすることで、輪郭溝の深さを、凹部２の底面隅部が断面角状の箇所（２ａ）に対応する輪郭溝の深さよりも浅くすることができる。それによって輪郭模様の所定部分の輪郭をぼかした形態となる。Ｒ加工する場合の曲率半径はＲ０．３〜３．０ｍｍ、好ましくは１．０〜１．５ｍｍである。パリソン４の凸部６の縁を角なし（６ｂ）とすることで当該箇所のガラスの温度低下することが防止でき、仕上がりびんの外表面にできるしわが浅くなる。
【００２５】
凹部２の縁は、所望の図柄の輪郭に対応するように彫刻されることで形成され、粗型の加工費は安価である。また、繊細で明瞭な輪郭溝を仕上がりびんに形成することができるので、複雑な図柄としても対応が可能である。
【００２６】
図５は、キャビティを通るように容器主軸方向を横断した面で切ったときの粗型の破断面の一形態を示す図である。なお、粗型は、例えば図５の正面視で粗型の下方の中心点（不図示）を中心として観音開き状に開かれ、次いでパリソンの型抜きが行われる。粗型に凹部を設けるときの位置は、例えば、凹部を粗型１の中央部分２３にのみに設けて、仕上がりびんの合わせ目と合わせ目との間の中央の箇所に輪郭模様が表現されるようにする。さらに合わせ目をまたがって輪郭模様を表現する場合には（不図示）、凹部２は、図５の粗型２のキャビティ１０の内表面３のうち、パリソンの側面を形成する面の全周にわたって窪み加工されていてもよい（図５では、図示の容易化のため、複数の凹部を全周に渡って配置している）。仕上がりびんの側面の全周にわたって輪郭模様を付すことができる。この場合、粗型１の合わせ目１１を挟んで両側に設けられている凹部２１の深さを、粗型の中央部分に設けられている凹部２２の深さよりも浅くしていることが好ましい。粗型からパリソンを抜くときに、粗型の合わせ目付近に形成されたパリソンの凸部（図５の凹部２１によって形成される凸部である）と粗型のキャビティの内表面とが接触して、型抜きしにくい。そこで、粗型１の合わせ目１１を挟んで両側に設けられている凹部２１の深さを、中央部分に設けた凹部２２の深さよりも浅くすることでこの接触を防止することができる。こうすることによって型の無理抜きをすることなしに、びんの側面全周にわたって輪郭模様を付与することができる。
【００２７】
図６は、輪郭模様の内側領域に細かいしわ状の模様を表現するときに用いる（ａ）粗型の部分拡大断面図及び（ｂ）それから得られるパリソンの部分拡大断面図である。粗型の凹部又はパリソンの凸部を横断する面で切った図である。図６（ａ）に示すように、粗型１として、粗型１の凹部２の底面２ｃに小溝７を複数設けた粗型を使用してもよい。このような粗型を用いると、図６（ｂ）に示したようにしわ状凸起８を凸部の頂部６ｃに有するパリソン４が得られる。このしわ状凸起８は、後の仕上げ工程で仕上げ型のキャビティの平滑な内表面に押し付けられることによって、仕上がりびんの外表面の輪郭溝で囲まれた領域にしわ状の模様を付すことができる。なお、しわ状凸起８を設ける場所は輪郭溝で囲まれた領域であれば全部であっても或いは一部であってもよく、特に制限がないので、しわ状の模様を所望の場所に表現することができる。
【００２８】
（パリソンの移送工程）
パリソンは口部とそれ以外の部分とでは温度が異なり、型との接触時間が長いパリソンの口部は温度低下が大きく、ガラスが硬くなる。そこで、パリソンの口部を把持して、パリソンを、キャビティの内表面が平滑な仕上げ型に移送する。
【００２９】
（仕上げ工程）
仕上げ型内でパリソンをブロー成形する。図７はパリソンから仕上がりびんに至るまでの変形の様子を説明するための概略図であり、（ａ）はパリソン、（ｂ）は仕上がりびん、（ｃ）は、凸部の変化を示した。このとき、パリソン４の外表面は、その面に形成された凸部６とともに、仕上げ型のキャビティの平滑な内表面に押し付けられる。凸部６があるために、凸部を設けた裏面側、すなわち、仕上がりびん３０の内部空間の表面が盛り上がる。一方、パリソン４の外表面にあった凸部６は、仕上がりびん３０となったときには仕上げ型のキャビティの内表面の形状に転写されて、平滑化される。ここで、パリソン４の凸部６の角６ａは、ガラス粘度が角から離れた箇所と比べて高くなっているため、平滑化される際にしわを形成する。しわは凸部６の角６ａに沿って輪郭線状に形成される。このしわが輪郭溝３２である。また、Ｒ加工された底面隅部２ｂを転写して形成されたパリソン４の凸部６の角なしのＲ部６ｂは、凸部６の角６ａよりも冷却されにくいため、ガラス粘度が凸部６の角６ａよりも低く、浅めの輪郭溝しか形成されない。したがって、輪郭溝３２は明瞭ではなく、ぼかし線となる。
【００３０】
以上の工程を経ることで、図２に示すように、粗型１の凹部２の縁に対応する箇所が輪郭模様の輪郭線として表現される。なお、パリソン４の凸部６は、図７（ａ）に示すごとく、凸部６以外の箇所と比較して肉厚差が生じる。凸部６があるため、輪郭溝３２の内側は、図７（ｂ）に示すごとく、他の箇所よりも肉厚となる。このため、輪郭溝３２による縁取りの認識と相俟って、肉厚差に基づく変化のある輪郭模様を表現することができる。
【００３１】
図８にしわ状凸起８を設けてしわ状の模様を表現したときのしわ部分の拡大画像を示す。ラベルの貼付は可能であり、成形上のびり発生はなく、鮮明にしわを表現できた。
【００３２】
本実施形態に係る輪郭模様入りガラスびんは、ガラスとして着色ガラスを使用する形態が包含される。びんに中身が入ると液とガラスの屈折率が近づくため、輪郭模様の視認性が低下する。しかし、ガラスとして着色ガラスを使用すると、びんの肉厚差によって色の濃淡が変化し、この現象を利用して輪郭模様の図柄を表現しやすい。例えば、３５０ｎｍ〜６００ｎｍの平均透光率が５０％以上の色の薄い着色ガラスを用いた場合、肉厚の薄い箇所は中身の色が強く表現され、肉厚の厚い箇所はびんの着色の色が表現されるため、輪郭模様の視認性が向上する。
【００３３】
本発明に係る輪郭模様入りガラスびんの製造方法では、仕上がりびんの表面を着色コーティング剤で被覆する工程をさらに有していてもよい。着色コーティング剤に含有させる色剤は、例えば、無機着色顔料又は有機着色染料であるが、本発明はこれらの種類には限定されない。また、着色コーティング剤の被膜の主成分は、例えば、樹脂が好ましく、例えばウレタン樹脂である。被膜の主成分は、ウレタン樹脂のほか、公知公用のびんコーティング剤の樹脂を使用することができる。着色被膜を施すことで、輪郭線である輪郭溝に着色コーティング剤が入り込むので、当該箇所において着色が濃く表現されるため、より鮮明に輪郭が強調されることとなる。
【００３４】
びんに中身が入ることで輪郭模様の視認性が低下することを抑制し、視認性を改善するため、本実施形態に係る輪郭模様入りガラスびんでは、裏面に図柄が印刷されたラベルを貼付したことが好ましい。輪郭溝の存在及び輪郭溝の内側の領域と他の部分との肉厚差によって、ラベルを付した反対側からびんを見ると、ラベル裏に印刷された図柄が輪郭模様によって歪むように変形を受けて見える。見る角度によってもこの変形は変化するため、輪郭模様の存在が見る者に伝わり、視認性が向上する。
【００３５】
同様に、びんに中身が入ることで輪郭模様の視認性が低下することを抑制し、視認性を改善するため、本実施形態に係る輪郭模様入りガラスびんでは、着色剤を含有する糊を使用してラベルを貼付したことが好ましい。通常、ラベルの裏の全面に糊を塗らず、横縞状に糊を塗る箇所と塗らない箇所を設ける。着色した糊を使用することで、ラベルの裏面が縞模様に見える。そこで、ラベルを付した反対側からびんを見ると、着色した糊跡が輪郭溝の存在及び輪郭溝の内側の領域と他の部分との肉厚差によって、歪むように変形を受けて見える。見る角度によってもこの変形は変化するため、輪郭模様の存在が見る者に伝わり、視認性が向上する。
【符号の説明】
【００３６】
１  粗型
２  凹部
２ａ  凹部の底面隅部が断面角状の箇所
２ｂ  凹部の底面隅部がＲ加工された箇所
３  粗型の内表面
４  パリソン
５  パリソンの外表面
６  凸部
６ａ  凸部の角
６ｂ  凸部の角なしのＲ部
６ｃ  凸部の頂部
７  小溝
８  しわ状凸起
１０  キャビティ
１１  粗型の合わせ目
２１  粗型の合わせ目に隣接して設けた凹部
２２  粗型の中央部分に設けた凹部
２３  粗型の中央部分
３０  仕上がりびん
３１  輪郭模様
３２  輪郭溝
【図２】
2010260765.tif 000003
【図３】
2010260765.tif 000004
【図４】
2010260765.tif 000005
【図５】
2010260765.tif 000006
【図６】
2010260765.tif 000007
【図７】
2010260765.tif 000008
【図１】
2010260765.tif 000009
【図８】
2010260765.tif 000010